(57)【要約】【課題】溶接品質が安定し、かつ構成が簡単で、安価な多点打ち電極装置を提供する。【解決手段】電極ホルダー２に複数の電極５を上下動可能に装着した。また側面に内側に傾斜した傾斜面４ａ、１０ａを前記複数の電極５と同数形成した調整駒４、１０と、頭部５ａに外側に傾斜し、前記調整駒４、１０の傾斜面４ａ、１０ａと同じ角度の傾斜面を形成した前記電極５とを、前記電極ホルダー２に、調整駒４、１０を収納するとともに、電極５の傾斜面５ｂを調整駒４、１０の傾斜面４ａ、１０ａに接して装着し、電極５の動作により、調整駒４、１０が電極５の傾斜面５ｂに沿って移動可能にした。さらにアーム１内部を通って供給される冷却水にて、前記調整駒４、１０を常に電極５の方向に付勢した【選択図】図１
2018069330.tif 000002
【特許請求の範囲】
【請求項１】
スポット溶接機に取付けられるアームの先端に電極ホルダーを取付け、電極ホルダーに複数の電極を装着した多点打ち電極装置において、電極ホルダーに複数の電極を上下動可能に装着したことを特徴とする多点打ち電極装置。
【請求項２】
側面に内側に傾斜した傾斜面を前記複数の電極と同数形成した調整駒と、頭部に外側に傾斜し、前記調整駒の傾斜面と同じ角度の傾斜面を形成した前記電極とを、前記電極ホルダーに、調整駒を収納するとともに、電極の傾斜面を調整駒の傾斜面に接して装着し、電極の動作により、調整駒が電極の傾斜面に沿って移動可能にしたことを特徴とする請求項１に記載の多点打ち電極装置。
【請求項３】
アーム内部を通って供給される冷却水にて、前記調整駒を常に電極方向に付勢したことを特徴とする請求項２に記載の多点打ち電極装置。
【発明の詳細な説明】
【技術分野】
【０００１】  本発明は、同時に多点をスポット溶接することができる多点打ち電極装置に関するものである。
【背景技術】
【０００２】  従来からスポット溶接の効率を向上する手段として、多点を同時にスポット溶接する多点打ち電極装置が用いられているが、電極装置の部品の誤差、或はワークの僅かな凹凸などにより、全ての電極がワークに完全に接することができない場合が生じることがあるため、図６に示すように、スポット溶接機に取り付けられるアーム５１の先端に、球形状の球頭部５１ａを形成し、電極ホルダー５２の基端に、半球状に凹陥した受容凹部５２ａを凹陥形成し、受容凹部５２ａに球頭部５１ａを受容させた状態で、球頭部５１ａの基部に対応した形状の連通穴５３ａが形成された固定部材５３を、連通穴５３ａにアーム５１を挿通させた状態で、電極ホルダー５２の基端に取り付けて、電極ホルダー５２をアーム５１に首振り可能に取り付けることにより、複数の電極５４の先端位置と、ワークの当接位置とが一致しない場合であっても、電極ホルダー５２がワークに追従して摺動し、確実に電極５４の先端がワークに当接し、確実に複数打点が同時に溶接されるようにしたものがある。（例えば、特許文献１参照。）
【先行技術文献】
【特許文献】
【０００３】
【特許文献１】  特開２０１０−２４７１７６号公報
【発明の概要】
【発明が解決しようとする課題】
【０００４】  前記のものでは、電極ホルダー５２が首振り可能に取付けられており、電極５４がワークに当接して電極ホルダー５２が首振りをすると、電極５４がワークに対して僅かに傾いた状態に当接するため、電極５４のワークへの接触部がずれること、及びワークへの接触圧力が傾き具合によって異なることにより溶接品質が安定しないという問題点があった。また、溶接後に電極ホルダー５２の傾きを直すため、複数のボールプランジャー５５が電極５４と同数必要になるので構成が複雑で高価になるという問題もあった。【０００５】  本発明は、前記の問題を解決し、溶接品質が安定し、かつ構成が簡単で、安価な多点打ち電極装置を提供することを目的になされたものである。
【課題を解決するための手段】
【０００６】  上記課題を解決するためになされた本発明の多点打ち電極装置は、スポット溶接機に取付けられるアームの先端に電極ホルダーを取付け、電極ホルダーに複数の電極を装着した多点打ち電極装置において、電極ホルダーに複数の電極を上下動可能に装着したことを特徴とするものである。【０００７】  側面に内側に傾斜した傾斜面を前記複数の電極と同数形成した調整駒と、頭部に外側に傾斜し、前記調整駒の傾斜面と同じ角度の傾斜面を形成した前記電極とを、前記電極ホルダーに、調整駒を収納するとともに、電極の傾斜面を調整駒の傾斜面に接して装着し、電極の動作により、調整駒が電極の傾斜面に沿って移動可能にしたものであることが好ましく、これを請求項２に係る発明とする。【０００８】  アーム内部を通って供給される冷却水にて、前記調整駒を常に電極方向に付勢したものであることが好ましく、これを請求項２に係る発明とする。
【発明の効果】
【０００９】  請求項１の発明では、電極ホルダーに複数の電極を上下動可能に装着したので、ワークに全ての電極が当接した状態でも全ての電極が傾く恐れがないので、電極のワークへの接触部がずれることが無く、またワークへの接触圧力も安定しているので溶接品質が安定するという効果がある。【００１０】  請求項２の発明では、側面に内側に傾斜した傾斜面を前記複数の電極と同数形成した調整駒と、頭部に外側に傾斜し、前記調整駒の傾斜面と同じ角度の傾斜面を形成した前記電極とを、前記電極ホルダーに、調整駒を収納するとともに、電極の傾斜面を調整駒の傾斜面に接して装着し、電極の動作により、調整駒が電極の傾斜面に沿って移動可能にしたので、調整駒を押圧すれば電極は溶接前の状態に戻るので、構成が簡単で安価にできるという効果がある。【００１１】  請求項３の発明では、アーム内部を通って供給される冷却水にて、前記調整駒を常に電極方向に付勢したので、調整駒を押圧する構成が簡単で、安価にできるという効果がある。
【図面の簡単な説明】
【００１２】
【図１】本発明の実施の形態を示す断面図である。
【図２】図１の電極がワークに当接した状態を示す断面図である。
【図３】図１の溶接時の状態を示す断面図である。
【図４】図１の調整駒と電極の関係を示す図である。
【図５】四点打ちの調整駒と電極の関係を示す図である。
【図６】従来例の一部切欠き図である。
【発明を実施するための形態】
【００１３】  以下、本発明の好ましい実施の形態について図１乃至図５に基づいて説明する。
【００１４】  図１乃至図４は二点打ち電極装置を示すものであり、１は、先端に大径部１ａを形成した冷却水の通路１ｂが内部に形成されているアームであり、アーム１は図示されていないスポット溶接装置に基端が取付けられている。
【００１５】  ２は、基端に突起部２ａが形成されるとともに、先端開口の凹部２ｂと、該凹部２ｂに先端の大径部２ｃが開口するとともに、基端がアーム１の冷却水の通路１ｂに連通する冷却水の通路２ｄが形成された電極ホルダーであり、電極ホルダー２は基端の突起部２ａをアーム１の冷却水の通路１ｂの先端の大径部１ａ．に圧入することによりアーム１の先端に取付けられている。
【００１６】  ３は電極ホルダー２の冷却水の通路２ｄの大径部２ｃに嵌め込まれた押圧部材であり、押圧部材３は冷却水によって常に先端方向に付勢されている。
【００１７】  ４は、平行な一対の側面に基端より先端が狭くなる、即ち内側に傾斜した傾斜面４ａが形成された調整駒であり、調整駒４は電極ホルダー２の凹部２ｂの基端部略中央に、上下左右に動作可能に収納され、押圧部材３にて基端面中央部を常に先端方向に押圧されている。
【００１８】  ５は基端に形成した頭部５ａの一側面に、基端より先端が広くなる、即ち外側に傾斜した、調整駒４の傾斜面４ａと同じ角度の傾斜面５ｂを形成した電極であり、電極５は頭部５ａの一側面を内側にして、その傾斜面５ｂを調整駒４の傾斜面４ａに接するとともに、他方の側面を電極ホルダー２の凹部２ｂの側面２ｅに接するように電極ホルダーの２凹部２ｂ内に配置されている。
【００１９】  尚、調整駒４の傾斜面４ａの傾斜角度と調整駒４の傾斜面４ａに接する電極５の頭部５ａの傾斜面５ｂの傾斜角度が同一で、傾斜方向が逆になるように形成し、電極５の傾斜面５ｂは、調整駒４の傾斜面４ａに全面が接するようになっている。また電極５は先端に電極チップを着脱可能に装着したものでも良い。
【００２０】  ６は電極ホルダー２の凹部２ｂの開口を塞ぐ蓋であり、蓋６から電極５の足部５ｃが突出している。
【００２１】  ７は冷却水の注水管であり、注水管７から供給さる冷却水は押圧部材３の基端面に衝突し、押圧部材３を先端方向に押圧するとともに注水管７の外を通って排水される。
【００２２】  次に、電極ホルダーの組立方法を説明すると、冷却水の通路２ｄ先端の大径部２ｃに押圧部材３を上下動可能に嵌め込み、電極ホルダー２の凹部２ｂに調整駒４と２つの電極５を、調整駒４の傾斜面４ａに電極５の傾斜面５ｂが接するように、調整駒４の両側に電極５を配置して組込み、その後、電極５の足部５ｃが突出するように蓋６を電極ホルダー２の凹部２ｂの開口に取付ける。尚、調整駒４と電極５は、調整駒４が凹部２ｂの基端に当接する位置から、電極５の頭部５ａが蓋６に当接する位置まで上下に移動可能である。
【００２３】  さらに、前記実施の形態の電極装置の動作を説明すると、図１に示す、部品誤差等によって電極５の先端が寸法Ｙだけ異なって取付けられている場合、溶接時にアーム１を介して電極ホルダー２が下降し、一方の電極５の先端がワーク８に当接したとき、他方の電極５の先端は寸法Ｙだけ離れており、さらに電極ホルダー２が下降すると、図２に示すように、一方の電極５が電極ホルダー２の凹部２ｂに入り込み、電極５の頭部５ａに形成した傾斜面５ｂによって調整駒４の傾斜面４ａが押されて、調整駒４は他方の電極５の傾斜面５ｂに沿って上昇するとともに他方の電極の方向に寸法Ｘだけ移動し、他方の電極５の先端がワーク８に当接する状態になる。そのまま電極ホルダー２が下がると、電極５と調整駒４は、その状態にて電極ホルダー２の凹部２ｂ内を上昇し、図３の溶接時の状態になる。さらに、溶接終了後、電極ホルダー２が上昇すると、冷却水によって押圧部材３を介して調整駒４は基端面中央部を押圧され、調整駒４、電極５は図１の状態に戻る。尚電極５は頭部５ａの一側面を内側にして、その傾斜面５ｂを調整駒４の傾斜面４ａに接するとともに、他方の側面を電極ホルダー２の凹部２ｂの側面２ｅに接しているので、一方の電極５が動作して、調整駒４の傾斜面４ａによって他方の電極５の傾斜面５ｂが押されても他方の電極５は動作しない。
【００２４】  また、図示されていないが、ワークに凹凸がある場合には、ワークの凸部に、一方の電極の先端が当接した後、さらに電極ホルダーが下がると、一方の電極は電極ホルダー内に入り込み頭部によって調整駒を上昇させるとともに他方の電極側に移動し、他方の電極の先端がワークに当接し、さらに電極ホルダーが下降すると電極は電極ホルダーに引き込まれ溶接時の状態になる。
【００２５】  図５は４点打ちの電極装置であり、上記２点打ちの電極装置と異なる点は、調整駒１０を水平断面正方形に形成し、その４つの側面に、電極５の頭部５ａの傾斜面５ｂが接する内側に向けた傾斜面１０ａを形成し、４つの電極５の各々を、頭部５ａの傾斜面５ｂが調整部材１０の傾斜面１０ａの１つに接するように側面の中央部に配置してある。また、六点打ちの電極装置では、調整駒を水平断面六角形に形成し、その６つの側面に傾斜面を形成すればよい。
【００２６】  以上のように本発明によれば、電極ホルダー２に複数の電極５を上下動可能に装着したので、ワーク８に全ての電極５が当接した状態でも全ての電極が傾く恐れがないので、電極５のワーク８への接触部がずれることが無く、またワーク８への接触圧力も安定しているので溶接品質が安定する。
【００２７】  また、側面に内側に傾斜した傾斜面４ａ、１０ａを、前記複数の電極５と同数形成した調整駒４、１０と、頭部５ａに外側に傾斜し、前記調整駒４、１０の傾斜面４ａ、１０ａと同じ角度の傾斜面を形成した前記電極５とを、前記電極ホルダー２に、調整駒４、１０を収納するとともに、電極５の傾斜面５ｂを調整駒４、１０の傾斜面４ａ、１０ａに接して装着し、電極５の動作により、調整駒４、１０が電極５の傾斜面５ｂに沿って移動可能にしたので、調整駒４、１０を押圧すれば電極５は溶接前の状態に戻るので、構成が簡単で安価にできる。
【００２８】  さらに、アーム１内部を通って供給される冷却水にて、前記調整駒４、１０を常に電極５の方向に付勢したので、調整駒４、１０を押圧する構成が簡単で、安価にできる。
【符号の説明】
【００２９】  １    アーム
２    電極ホルダー
２ｂ  凹部
３    押圧部材
４    調整駒
４ａ  傾斜面
５    電極
５ｂ  傾斜面
５    電極
５ｂ  傾斜面
１０    調整駒
１０ａ  傾斜面
【図１】
2018069330.tif 000003
【図２】
2018069330.tif 000004
【図３】
2018069330.tif 000005
【図４】
2018069330.tif 000006
【図５】
2018069330.tif 000007
【図６】
2018069330.tif 000008